(57)【要約】【課題】フード内部の清掃性を低下させずにコストを削減することができることを目的とする。【解決手段】調理器の上方に、フード外枠１と渦巻状のファンケーシング２の内部に遠心ファン３を有する遠心送風機４と、ファンケーシング２の天板に遠心ファン３を水平方向に回転させるモーター５とを設け、フード外枠１に通風路６を形成し、ファンケーシング２と通風路６の端部が連接するという構成にしたことにより、フード外枠１とファンケーシング２の間に隙間が無くなり、調理油煙が通風路６を通過し直接ファンケーシング２に吸い込まれ、油はフード外枠１の内面のみに付着するので、フード内部の清掃性を低下させずにコストを削減することができるレンジフードを得られる。【選択図】図１
2015064178.tif 000002
【特許請求の範囲】
【請求項１】
調理器の上方に、フード外枠と渦巻状のファンケーシングの内部に遠心ファンを有する遠心送風機と、前記ファンケーシングの天板に遠心ファンを水平方向に回転させるモーターとを設け、前記フード外枠に通風路を形成し、前記ファンケーシングと前記通風路の端部が連接することを特徴としたレンジフード。
【請求項２】
前記ファンケーシングの底面に油抜き穴を設け、前記油抜き穴の下方の前記通風路に油誘導部を設け、前記油誘導部の近傍にオイルキャッチを備えることを特徴とした請求項１に記載のレンジフード。
【発明の詳細な説明】
【技術分野】
【０００１】
本発明は、調理機器の上方に設置され、調理時に発生する油煙を捕集して屋外に排気するレンジフードに関するものである。
【背景技術】
【０００２】
従来より、ファンケーシング側板が内フード内面と連接するよう構成し、汚れを容易に拭き取ることができるレンジフードが提案されている（例えば特許文献１参照）。図２に示すレンジフードは、調理器の上方に、フード外枠１０１とフード外枠内面に沿う形状の内フード１０２と、渦巻状のファンケーシング１０３内に遠心ファン１０４を有し、ファンケーシング天板１０５に遠心ファン１０４を水平方向に回転させるモーター１０６を設けたレンジフードであって、吸込口を有するファンケーシング底板１０７全体が着脱可能で、ファンケーシング側板１０８が内フード１０２内面と連接することにより、渦巻状のファンケーシング１０３内部に手を入れやすく、汚れを容易に拭き取ることができるレンジフードが得られる。
【先行技術文献】
【特許文献】
【０００３】
【特許文献１】特許第４９８５３６６号公報
【発明の概要】
【発明が解決しようとする課題】
【０００４】
このような従来のレンジフードにおいては、フード内部の汚れを容易に拭き取るため内フードが設けられているが普及タイプに適用しようとした場合コストが高い、という課題を有していた。
【０００５】
そこで本発明は、上記従来の課題を解決するものであり、フード内部の清掃性を低下させずにコストを削減することができるレンジフードを提供することを目的とする。
【課題を解決するための手段】
【０００６】
そして、この目的を達成するために、本発明は、調理器の上方に、フード外枠と渦巻状のファンケーシングの内部に遠心ファンを有する遠心送風機と、前記ファンケーシングの天板に遠心ファンを水平方向に回転させるモーターとを設け、前記フード外枠に通風路を形成し、前記ファンケーシングと前記通風路の端部が連接するとしたものであり、これにより所期の目的を達成するものである。
【発明の効果】
【０００７】
本発明によれば、調理器の上方に、フード外枠と渦巻状のファンケーシングの内部に遠心ファンを有する遠心送風機と、前記ファンケーシングの天板に遠心ファンを水平方向に回転させるモーターとを設け、前記フード外枠に通風路を形成し、前記ファンケーシングと前記通風路の端部が連接する、という構成にしたことにより、前記フード外枠と前記ファンケーシングの間に隙間が無くなり、調理油煙が前記通風路を通過し直接前記ファンケーシングに吸い込まれ、油はフード外枠の内面のみに付着することとなるので、フード内部の清掃性を低下させずにコストを削減することができる、という効果を得ることができる。
【図面の簡単な説明】
【０００８】
【図１】本発明の実施の形態１のレンジフードを示す側方構成図
【図２】従来のレンジフードを示す側方構成図
【発明を実施するための形態】
【０００９】
本発明の請求項１記載のレンジフードは、調理器の上方に、フード外枠と渦巻状のファンケーシングの内部に遠心ファンを有する遠心送風機と、前記ファンケーシングの天板に遠心ファンを水平方向に回転させるモーターとを設け、前記フード外枠に通風路を形成し、前記ファンケーシングと前記通風路の端部を連接させる。これにより、フード外枠とファンケーシングの間に隙間が無くなり、調理油煙が通風路を通過し直接ファンケーシングに吸い込まれ、油はフード外枠の内面のみに付着することとなるので、フード内部の清掃性を低下させずにコストを削減することができる、という効果を奏する。
【００１０】
また、ファンケーシングの底面に油抜き穴を設け、油抜き穴の下方の通風路に油誘導部を設け、油誘導部の近傍にオイルキャッチを備える、という構成にしてもよい。これにより、ファンケーシングに溜まった油が油抜き穴から滴下し、通風路の油誘導部を通ってオイルキャッチに導かれることとなるので、フード内部の清掃性を向上することができる、という効果を奏する。
【００１１】
以下、本発明の実施の形態について図面を参照しながら説明する。
【００１２】
（実施の形態１）
図１に示すように、調理器（図示せず）の上方に、方形状のフード外枠１と渦巻状のファンケーシング２の内部に遠心ファン３を有する遠心送風機４と、ファンケーシング２の天板１３に遠心ファン３を水平方向に回転させるモーター５（例えば低コストであるＡＣモーター）を設け、方形状のフード外枠１の天面部分に通風路６を形成する。そして、通風路６はフード外枠１の一部（すなわち一体）であり、ファンケーシング２の吸込口７に向かって内側上方へ向って空気抵抗が小さくなるように滑らかな形状で構成する。
【００１３】
なお、本実施の形態ではフード外枠１と通風路６は一体としているが、分割構造としても良い。
【００１４】
また、通風路６の端部はファンケーシング２と連接するように構成し、通風路６を覆うようにグリスフィルター９をフード外枠１に設ける。
【００１５】
また、ファンケーシング２の正面に向かって奥側の底面に油抜き穴１６を設け、油抜き穴１６の下方の通風路６に油の通る部分が凹形状で構成された油誘導部１７を設け、油誘導部１７の近傍すなわち油誘導部１７の下方にオイルキャッチ８を備える。
【００１６】
また、遠心送風機４の外側（下面を除いた周囲）には方形状のファンボックス１０を設け、ファンケーシング２の排気口１４に合わせてファンボックス１０にも開口部１５を形成する。
【００１７】
また、ファンボックス１０の開口部１５と排気ダクト１１を連接する為のアダプター１２をファンボックス１０の天面に設ける。
【００１８】
上記構成により、調理で発生した油煙はフード外枠１の内側で捕集され、グリスフィルター９を介して通風路６を通過し、ファンケーシング２に吸い込まれる。
【００１９】
そして、グリスフィルター９により捕集しきれない油は通風路６の内側壁面に付着する。よって、調理で発生した油煙は、通風路６を含めたフード外枠１の内側のみに付着し、ファンケーシング２の外側に侵入することが無くなるので、フード内部の清掃性を低下させずにコストを削減することができる。
【００２０】
また、ファンケーシング２に溜まった油が油抜き穴１６から通風路６の凹形状に滴下し、通風路６の傾斜により自然と油誘導部１７に沿って下方のオイルキャッチ８に導かれることとなり、ファンケーシング２の内面の油を拭き取る必要がなくなるので、レンジフードの清掃性を向上することができる。
【産業上の利用可能性】
【００２１】
本発明にかかるレンジフードは、フード内部の清掃性を低下させずにコストを削減することを可能とするものであるので、清掃性の良いレンジフードとして有用である。
【符号の説明】
【００２２】
１    フード外枠
２    ファンケーシング
３    遠心ファン
４    遠心送風機
５    モーター
６    通風路
７    吸込口
８    オイルキャッチ
９    グリスフィルター
１０  ファンボックス
１１  排気ダクト
１２  アダプター
１３  天板
１４  排気口
１５  開口部
１６  油抜き穴
１７  油誘導部
【図１】
2015064178.tif 000003
【図２】
2015064178.tif 000004